(57)【特許請求の範囲】
【請求項１】
無線アクセスネットワーク装置との間でシグナリング制御チャネルと共有データチャネルとを設定し、通信を行う移動局であって：
シグナリング制御チャネルにより報知情報の間欠受信を行う間欠受信手段；
前記シグナリング制御チャネルにより伝送された報知情報の項目と、前記報知情報の項目に対応する内容の変更有無を示す情報に基づいて、共有データチャネルを受信するか否かを判断する共有データチャネル受信判断手段；
前記判断に応じて、共有データチャネルの受信を行う共有データチャネル受信手段；
を備えることを特徴とする移動局。
【請求項２】
請求項１に記載の移動局において：
前記共有データチャネル受信判断手段は、Ｖａｌｕｅ  ｔａｇの値で報知情報の項目に対応する内容の変更有無を判断することを特徴とする移動局。
【請求項３】
請求項１または２に記載の移動局において：
報知情報の項目と、該報知情報の項目に対応する内容とを保持する報知情報管理手段
を備えることを特徴とする移動局。
【請求項４】
移動局との間で共有データチャネルとシグナリング制御チャネルとを設定し、通信を行う無線アクセスネットワーク装置であって：
シグナリング制御チャネルにより、該シグナリング制御チャネルに対応する共有データチャネルで伝送する報知情報の項目と、該報知情報の項目に対応する内容の変更有無を示す情報とを、報知情報送信タイミングに通知するシグナリング制御チャネル制御手段；
前記シグナリング制御チャネルに対応する共有データチャネルにより、前記通知した報知情報の項目に対応した報知情報を、報知情報送信タイミングに送信する共有データチャネル制御手段；
を備えることを特徴とする無線アクセスネットワーク装置。
【請求項５】
請求項４に記載の無線アクセスネットワーク装置において：
前記シグナリング制御チャネル制御手段は、前記報知情報の項目として、チャネル設定情報、ネットワーク設定情報、規制関連情報、移動局タイマ関連情報、上り干渉量関連情報、サービス関連情報、他システム関連情報、時刻情報、周辺セル関連情報、ハンドオーバ関連情報、測定関連情報、デフォルト設定情報および送信電力関連情報のうち、少なくとも１つの項目名を通知することを特徴とする無線アクセスネットワーク装置。
【請求項６】
請求項４または５に記載の無線アクセスネットワーク装置において、
前記シグナリング制御チャネル制御手段は、報知情報の項目に対応する内容の変更有無を示す情報として、Ｖａｌｕｅ  ｔａｇの値を通知することを特徴とする無線アクセスネットワーク装置。
【請求項７】
移動局と無線アクセスネットワーク装置との間で共有データチャネルとシグナリング制御チャネルとを設定し、通信を行う移動通信システムであって：
前記移動局は、
シグナリング制御チャネルを用いて報知情報の間欠受信を行う間欠受信手段；
前記シグナリング制御チャネルにより伝送される報知情報の項目と、前記報知情報の項目に対応する内容の変更有無を示す情報に基づいて、共有データチャネルを受信するか否かを判断する共有データチャネル受信判断手段；
前記判断に応じて、共有データチャネルの受信を行う共有データチャネル受信手段；
を備え、
前記無線アクセスネットワーク装置は、
シグナリング制御チャネルにより、該シグナリング制御チャネルに対応する共有データチャネルで伝送する報知情報の項目と、該報知情報の項目に対応する内容の変更有無を示す情報とを報知情報送信タイミングに通知するシグナリング制御チャネル制御手段；
前記シグナリング制御チャネルに対応する共有データチャネルにより、前記通知した報知情報の項目に対応した報知情報を、報知情報送信タイミングに送信する共有データチャネル制御手段；
を備えることを特徴とする移動通信システム。
【請求項８】
移動局と無線アクセスネットワーク装置との間で共有データチャネルとシグナリング制御チャネルとを設定し、通信を行う移動通信システムにおける報知情報送受信方法であって：
前記移動局がシグナリング制御チャネルを用いて報知情報の間欠受信を行う間欠受信ステップ；
前記無線アクセスネットワーク装置が、シグナリング制御チャネルにより、該シグナリング制御チャネルに対応する共有データチャネルで伝送する報知情報の項目と、該報知情報の項目に対応する内容の変更有無を示す情報とを報知情報送信タイミングに通知するシグナリング制御チャネル送信ステップ；
前記移動局が、前記シグナリング制御チャネルにより伝送される報知情報の項目と、前記報知情報の項目に対応する内容の変更有無を示す情報に基づいて、共有データチャネルを受信するか否かを判断する共有データチャネル受信判断ステップ；
前記無線アクセスネットワーク装置が、前記シグナリング制御チャネルに対応する共有データチャネルにより、前記通知した報知情報の項目に対応した報知情報を、報知情報送信タイミングに送信する共有データチャネル送信ステップ；
前記移動局が、前記判断に応じて、共有データチャネルの受信を行う共有データチャネル受信ステップ；
を有することを特徴とする報知情報送受信方法。
【請求項９】
請求項８に記載の報知情報送受信方法において：
前記シグナリング制御チャネル送信ステップは、報知情報の項目に対応する内容の変更有無を示す情報として、Ｖａｌｕｅ  ｔａｇの値を通知し、
前記共有データチャネル受信判断ステップは、Ｖａｌｕｅ  ｔａｇの値で報知情報の項目に対応する内容の変更有無を判断することを特徴とする報知情報送受信方法。
【発明の詳細な説明】
【技術分野】
【０００１】
本発明は、移動局、無線アクセスネットワーク装置および移動通信システム並びに報知情報送受信方法に関する。
【背景技術】
【０００２】
移動通信システムでは、接続設定時や接続中に必要な情報や他システムに関する情報を事前に報知している。この情報は報知情報（ｓｙｓｔｅｍ  ｉｎｆｏｒｍａｔｉｏｎ）と呼ばれている。
【０００３】
ＩＭＴ２０００における報知情報は、主要情報ブロック（ＭＩＢ：  Ｍａｓｔｅｒ  Ｉｎｆｏｒｍａｔｉｏｎ  Ｂｌｏｃｋ）と、従属するシステム情報ブロック（ＳＩＢ：  Ｓｙｓｔｅｍ  Ｉｎｆｏｒｍａｔｉｏｎ  Ｂｌｏｃｋ）とから構成される。
【０００４】
主要情報ブロックには、システム情報ブロックの送信有無や送信スケジュール、情報内容の変更の有無を示す数値（ｖａｌｕｅ  ｔａｇ）が含まれる。一方、システム情報ブロックは同じ性質を持つ情報別に定義される。例えば、システム情報ブロックには、共通チャネルの設定情報や規制に関する情報が、異なるシステム情報ブロックとして定義されている。
【０００５】
ＩＭＴ２０００では、移動局は、呼接続を行う前に必要な報知情報を読んでから発呼することが規定されている。しかし、主要情報ブロックを読まなければ、システム情報ブロックの送信スケジュールやｖａｌｕｅ  ｔａｇが分からないため、少なくとも主要情報ブロックは読む必要がある。例えば、ＩＭＴ２０００では報知情報チャネルのインタリーブ長は２０ｍｓであるため、主要情報ブロックを読むために、２０ｍｓは受信する必要がある。
【発明の開示】
【発明が解決しようとする課題】
【０００６】
しかしながら、上述した背景技術には以下の問題がある。
【０００７】
主要情報ブロックを読み直した結果、報知情報を読み直す必要が無かった移動局は主要情報ブロックの受信は不要であり、バッテリーを不要に消費させる、という問題がある。すなわち、情報の変更がない場合でも、主要情報ブロックを読むための時間は受信処理を行う必要がある。
【０００８】
また、報知情報を読み直す必要性の有無に関わらず、主要情報ブロックを読むための時間は必要であるため、接続までの所要時間が増大する、という問題がある。
【０００９】
本発明は、このような課題に鑑みてなされたもので、バッテリー消費を低減し、接続時間を短縮することができる移動局、無線アクセスネットワーク装置および移動通信システム並びに報知情報送受信方法を提供することを目的とする。
【課題を解決するための手段】
【００１０】
上記課題を解決するため、本発明の移動局は、無線アクセスネットワーク装置との間でシグナリング制御チャネルと共有データチャネルとを設定し、通信を行う移動局であって、シグナリング制御チャネルにより報知情報の間欠受信を行う間欠受信手段と、前記シグナリング制御チャネルにより伝送される報知情報の項目と、前記報知情報の項目に対応する内容の変更有無を示す情報に基づいて、共有データチャネルを受信するか否かを判断する共有データチャネル受信判断手段と、前記判断に応じて、共有データチャネルの受信を行う共有データチャネル受信手段とを備えることを特徴の１つとする。
【００１１】
このように構成することにより、シグナリング制御チャネルを受信すれば、現在報知されている報知情報を受信する必要性を判断できるため、報知情報の内容に変更が無い場合は、シグナリング制御チャネルの受信時間のみ、例えば０．０７ｍｓのみを受信すればよく、バッテリー消費を削減することができる。また、呼接続までの所要時間を短縮することができる。
【００１２】
また、他のトラヒックチャネルと同様にシグナリング制御チャネルを受信してから、共有データチャネルを受信する構成を取ることができ、移動局の受信部分の構成を同一にすることができる。
【００１３】
また、本発明の無線アクセスネットワーク装置は、移動局との間で共有データチャネルとシグナリング制御チャネルとを設定し、通信を行う無線アクセスネットワーク装置であって、シグナリング制御チャネルにより、該シグナリング制御チャネルに対応する共有データチャネルで伝送する報知情報の項目と、該報知情報の項目に対応する内容の変更有無を示す情報とを、報知情報送信タイミングに通知するシグナリング制御チャネル制御手段と、前記シグナリング制御チャネルに対応する共有データチャネルにより、前記通知した報知情報の項目に対応した報知情報を、報知情報送信タイミングに送信する共有データチャネル制御手段とを備えることを特徴の１つとする。
【００１４】
このように構成することにより、呼接続までの所要時間を短縮することができる。また、他のトラヒックチャネルと同様にシグナリング制御チャネルを送信してから、共有データチャネルを送信する構成を取ることができ、無線アクセスネットワーク装置の送信部分の構成を同一にすることができる。
【００１５】
また、本発明の移動通信システムは、移動局と無線アクセスネットワーク装置との間で共有データチャネルとシグナリング制御チャネルとを設定し、通信を行う移動通信システムであって、前記移動局は、シグナリング制御チャネルを用いて報知情報の間欠受信を行う間欠受信手段と、前記シグナリング制御チャネルにより伝送される報知情報の項目と、前記報知情報の項目に対応する内容の変更有無を示す情報に基づいて、共有データチャネルを受信するか否かを判断する共有データチャネル受信判断手段と、前記判断に応じて、共有データチャネルの受信を行う共有データチャネル受信手段とを備え、前記無線アクセスネットワーク装置は、シグナリング制御チャネルにより、該シグナリング制御チャネルに対応する共有データチャネルで伝送する報知情報の項目と、該報知情報の項目に対応する内容の変更有無を示す情報とを報知情報送信タイミングに通知するシグナリング制御チャネル制御手段と、前記シグナリング制御チャネルに対応する共有データチャネルにより、前記通知した報知情報の項目に対応した報知情報を、報知情報送信タイミングに送信する共有データチャネル制御手段とを備えることを特徴の１つとする。
【００１６】
このように構成することにより、移動局はシグナリング制御チャネルを受信すれば、現在報知されている報知情報を受信する必要性を判断できるため、報知情報の内容に変更が無い場合は、シグナリング制御チャネルの受信時間のみ、例えば０．０７ｍｓのみを受信すればよく、バッテリー消費を削減することができる。また、移動局は、呼接続までの所要時間を短縮することができる。また、他のトラヒックチャネルと同様にシグナリング制御チャネルを受信してから、共有データチャネルを受信する構成を取ることができ、移動局の受信部分の構成を同一にすることができる。一方、無線アクセスネットワーク装置は、呼接続までの所要時間を短縮することができる。また、無線アクセスネットワーク装置は、他のトラヒックチャネルと同様にシグナリング制御チャネルを送信してから、共有データチャネルを送信する構成を取ることができ、無線アクセスネットワーク装置の送信部分の構成を同一にすることができる。
【００１７】
また、本発明の報知情報送受信方法は、移動局と無線アクセスネットワーク装置との間で共有データチャネルとシグナリング制御チャネルとを設定し、通信を行う移動通信システムにおける報知情報送受信方法であって、前記移動局がシグナリング制御チャネルを用いて報知情報の間欠受信を行う間欠受信ステップと、前記無線アクセスネットワーク装置が、シグナリング制御チャネルにより、該シグナリング制御チャネルに対応する共有データチャネルで伝送する報知情報の項目と、該報知情報の項目に対応する内容の変更有無を示す情報とを報知情報送信タイミングに通知するシグナリング制御チャネル送信ステップと、前記移動局が、前記シグナリング制御チャネルにより伝送される報知情報の項目と、前記報知情報の項目に対応する内容の変更有無を示す情報に基づいて、共有データチャネルを受信するか否かを判断する共有データチャネル受信判断ステップと、前記無線アクセスネットワーク装置が、前記シグナリング制御チャネルに対応する共有データチャネルにより、前記通知した報知情報の項目に対応した報知情報を、報知情報送信タイミングに送信する共有データチャネル送信ステップと、前記移動局が、前記判断に応じて、共有データチャネルの受信を行う共有データチャネル受信ステップとを有することを特徴の１つとする。
【００１８】
このようにすることにより、移動局はシグナリング制御チャネルを受信すれば、現在報知されている報知情報を受信する必要性を判断できるため、報知情報の内容に変更が無い場合は、シグナリング制御チャネルの受信時間のみ、例えば０．０７ｍｓのみを受信すればよく、バッテリー消費を削減することができる。また、移動局は、呼接続までの所要時間を短縮することができる。また、他のトラヒックチャネルと同様にシグナリング制御チャネルを受信してから、共有データチャネルを受信する構成を取ることができ、移動局の受信部分の構成を同一にすることができる。一方、無線アクセスネットワーク装置は、呼接続までの所要時間を短縮することができる。また、無線アクセスネットワーク装置は、他のトラヒックチャネルと同様にシグナリング制御チャネルを送信してから、共有データチャネルを送信する構成を取ることができ、無線アクセスネットワーク装置の送信部分の構成を同一にすることができる。
【発明の効果】
【００１９】
本発明の実施例によれば、接続時間を短縮し、移動局のバッテリー消費を削減できる移動局、無線アクセスネットワーク装置および移動通信システム並びに報知情報送受信方法を実現できる。
【発明を実施するための最良の形態】
【００２０】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２１】
本発明の実施例にかかる移動通信システムについて、図１を参照して説明する。
【００２２】
移動通信システムは、移動局１００と無線アクセスネットワーク装置２００とから構成される。
【００２３】
移動局１００と無線アクセスネットワーク装置２００は、シグナリング制御チャネルと共有データチャネルとを設定し、これらのチャネルを介して通信を行う。
【００２４】
次に、本実施例にかかる移動局１００の構成について、図２を参照して説明する。
【００２５】
移動局１００は、アンテナを備える間欠受信手段としてのデー夕送受信部１０２と、送受信部１０２と接続された共有データチャネル受信判断手段としての受信必要性判断部１０４と、受信必要性判断部１０４と接続された共有データチャネル受信手段としての共有データチャネル復調部１０６とを備える。
【００２６】
送受信部１０２は、データの送受信を行う。例えば、送受信部１０２は、シグナリング制御チャネルの間欠受信を行う。
【００２７】
受信必要性判断部１０４は、シグナリング制御チャネルにより伝送された共有データチャネルで報知される報知情報の項目と、報知される情報の項目に対応する内容の変更有無を示す情報に基づいて、共有データチャネルを受信するか否かを判断する。
【００２８】
例えば、受信必要性判断部１０４は共有データチャネルで報知される報知情報の項目をシステム情報ブロックの番号から判断してもよいし、また、報知される情報の項目に対応する内容の変更有無を示す情報を、Ｖａｌｕｅ  ｔａｇの値から判断してもよい。
【００２９】
この場合、共有データチャネルで報知される報知情報の各項目は、システム情報ブロックの各番号と対応付けられる。無線アクセスネットワーク装置２００は、共有データチャネルで報知される報知情報の各項目と対応付けられたシステム情報ブロックの番号を送信する。
【００３０】
Ｖａｌｕｅ  ｔａｇは、報知情報を構成するＭＩＢおよびＳＩＢのうちＭＩＢに含まれ、ＳＩＢの更新の様子を示す。例えば、Ｖａｌｕｅ  ｔａｇは、「１」〜「８」の値を取り、ＳＩＢが更新される毎に値が更新される。
【００３１】
例えば、ＳＩＢは、複数のブロック、例えば、１８ブロックから構成され、各ブロックには異なる情報が格納される。また、所定数のブロックからグループが構成され、グループに対して１個のＭＩＢが配置される。例えば、１８個のＳＩＢブロックに２つの「Ｒｅｓｅｒｖｅ」ブロックを加えた２０ブロックを５グループに分け、各グループの先頭に１個のＭＩＢが配置される。
【００３２】
受信必要性判断部１０４は、所定数のブロックから構成されるグループの先頭に配置されたＭＩＢに格納されたＶａｌｕｅ  ｔａｇに基づいて、報知される情報の項目に対応する内容の変更有無を判断する。グループの先頭に配置されたＭＩＢに格納されたＶａｌｕｅ  ｔａｇは、そのグループに格納された内容が変更されているか否かを示す。また、受信必要性判断部１０４は、報知される情報の項目に対応する内容が変更されていると判断した場合、そのグループを構成するブロックに格納された報知情報の項目に対応する内容を受信すると判断する。すなわち、共有データチャネルを受信すると判断する。
【００３３】
共有データチャネル復調部１０６は、受信必要性判断部１０４により共有データチャネルを受信すると判断された場合に、シグナリング制御チャネルと対応したタイミングで受信した共有データチャネルの復調を行う。共有データチャネルには、シグナリング制御チャネルにより送信された報知情報の項目に対応する内容が含まれる。
【００３４】
また、共有データチャネル復調部１０６は、共有データチャネルの復調結果を、メモリなどに蓄積し、次回呼接続時に当該数値が有効である場合、すなわち、シグナリング制御チャネルにより、報知情報の項目に対応する内容の変更がない場合には、その数値を使用してもよい。例えば、移動局１００に、図３に示される報知情報管理テーブル備えるようにし、共有データチャネル復調部１０６は、該報知情報管理テーブルに無線アクセスネットワーク装置２００から送信された共有データチャネルの復調内容を保持し、報知情報内容を管理するようにしてもよい。
【００３５】
例えば、報知情報管理テーブルには、報知情報の項目、報知情報受信セルＩＤ、報知情報受信時刻、Ｖａｌｕｅ  ｔａｇおよび報知情報の内容が対応付けられ記憶される。
【００３６】
次に、本実施例にかかる無線アクセスネットワーク装置２００について、図４を参照して説明する。
【００３７】
無線アクセスネットワーク装置２００は、送信部２０２と、送信部２０２と接続されたシグナリング制御チャネル制御部２０４および共有データチャネル制御部２０６と、シグナリング制御チャネル制御部２０４および共有データチャネル制御部２０６と接続された報知情報内容管理部２０８とを備える。
【００３８】
送信部２０２は、シグナリング制御チャネルを、報知情報送信タイミングに送信する。また、送信部２０２は、シグナリング制御チャネルに対応する共有データチャネルを、報知情報送信タイミングに送信する。
【００３９】
シグナリング制御チャネル制御部２０４は、報知情報の送信タイミングに送信スケジュールを割り当て、対応する共有データチャネルで送信する報知情報の項目名を通知する。
【００４０】
また、シグナリング制御チャネル制御部２０４は、報知情報送信タイミングに送信スケジュールを割り当て、対応する共有データチャネルで送信する報知情報の項目に対応する内容の変更有無を示す情報を通知する。例えば、シグナリング制御チャネル制御部２０４は、報知情報の項目名として、チャネル設定情報、ネットワーク設定情報、規制関連情報、移動局タイマ関連情報、上り干渉量情報、サービス関連情報、他システム関連情報、時刻情報、周辺セル関連情報、ハンドオーバ関連情報、測定関連情報、デフォルト設定情報、送信電力関連情報のうち、少なくとも１つを示す情報を通知する。
【００４１】
また、シグナリング制御チャネル制御部２０４は、報知情報の各項目と、システム情報ブロックの各番号とを対応付け、システム情報ブロックの番号を通知するようにしてもよい。
【００４２】
また、例えば、シグナリング制御チャネル制御部２０４は、報知情報の項目に対応する内容の変更有無を示す情報として、Ｖａｌｕｅ  ｔａｇの値を通知するようにしてもよい。
【００４３】
共有データチャネル制御部２０６は、報知情報送信タイミングに送信スケジュールを割り当て、シグナリング制御チャネルに対応する共有データチャネルにより、前記通知した報知情報の項目に対応した報知情報を送信する。例えば、共有データチャネル制御部２０６は、報知情報の項目に対応する内容を通知する。
【００４４】
報知情報内容管理部２０８は、各報知情報の項目に対応する内容、報知情報の内容の変更有無を示す情報、送信周期、送信タイミングなどを管理する。例えば、報知情報内容管理部２０８は、報知情報項目をシステム情報ブロック毎に管理してもよいし、報知情報の内容の変更有無を示す情報として、Ｖａｌｕｅ  ｔａｇの値を使用するようにしてもよい。
【００４５】
本実施例においては、無線アクセスネットワーク装置２００が、図５に示すように、無線制御装置の機能と、無線基地局装置の機能とを備える場合について説明する。この場合、例えば、無線制御装置２２０には報知情報内容管理部２０８が配置され、無線基地局装置２３０にはシグナリング制御チャネル制御部２０４、共有データチャネル制御部２０６および送信部２０２が配置される。
【００４６】
また、無線アクセスネットワーク装置２００を、無線制御装置２２０と無線基地局装置２３０として実現するようにしてもよい。
【００４７】
次に、本実施例にかかる報知情報送受信方法としての移動通信システムの動作について説明する。
【００４８】
最初に、移動局１００の動作について、図６を参照して説明する。
【００４９】
移動局の送受信部１０２は、報知情報の間欠受信を行う（ステップＳ６０２）。具体的には、シグナリング制御チャネルを間欠受信する。
【００５０】
次に、送受信部１０２は、無線アクセスネットワーク装置２００から送信されたシグナリング制御チャネルを受信する（ステップＳ６０４）。
【００５１】
次に、受信必要性判断部１０４は、受信したシグナリング制御チャネルに基づいて、共有データチャネルを受信するか否かを判断する。例えば、受信必要性判断部１０４は、シグナリング制御チャネルにより伝送される報知情報の項目に対応する内容の変更有無を示す情報が、変更されたことを示す情報であるか否かを判断する（ステップＳ６０６）。
【００５２】
報知情報の項目に対応する内容の変更有無を示す情報が、変更されたことを示す情報である場合（ステップＳ６０６：ＹＥＳ）、共有データチャネルにより報知情報を受信する（ステップＳ６０８）。例えば、共有データチャネル復調部１０６は、シグナリング制御チャネルと対応したタイミングで受信した共有データチャネルの復調を行う。共有データチャネルには、シグナリング制御チャネルにより送信された報知情報の項目に対応する内容が含まれる。
【００５３】
一方、報知情報の項目に対応する内容の変更有無を示す情報が、変更無しであった場合（ステップＳ６０６：ＮＯ）、ステップＳ６０４に戻る。
【００５４】
最初に、無線アクセスネットワーク装置２００の動作について、図７を参照して説明する。
【００５５】
シグナリング制御チャネル制御部２０４は、報知情報の送信タイミングに送信スケジュールを割り当て、対応する共有データチャネルで送信する報知情報の項目名と、該報知情報の項目に対応する内容の変更有無を示す情報を通知する（ステップＳ７０２）。
【００５６】
次に、共有データチャネル制御部２０６は、報知情報送信タイミングに送信スケジュールを割り当て、シグナリング制御チャネルに対応する共有データチャネルにより、通知した報知情報の項目に対応した報知情報を送信する（ステップＳ７０４）。
【００５７】
本実施例によれば、シグナリング制御チャネルにより報知情報の内容に変更があったか否かを通知することができるため、移動局において報知情報の内容の変更の有無を判断するために受信機をONにしていた時間を大幅に短縮でき、移動局のバッテリーセービングに寄与することができる。
【００５８】
また、本実施例によれば、報知情報の内容に変更があったとしても、報知情報送信タイミングに送信されている、シグナリング制御チャネルと共有データチャネルを１インタリーブ長受信すればよいため、呼接続完了までの時間を短縮することができる。
【００５９】
また、通常のトラヒックチャネルがシグナリング制御チャネルと共有データチャネルの組み合わせで構成されている場合、報知情報も同一構成（フォーマット）とすることで、無線アクセスネットワーク装置および移動局の装置構成を簡略化することが可能である。
【産業上の利用可能性】
【００６０】
本発明にかかる移動局、無線アクセスネットワーク装置および移動通信システム並びに報知情報送受信方法は、移動通信システムに適用できる。
【図面の簡単な説明】
【００６１】
【図１】本発明の一実施例にかかる移動通信システムを示す説明図である。
【図２】本発明の一実施例にかかる移動局を示すブロック図である。
【図３】本発明の一実施例にかかる移動局における報知情報管理テーブルを示す説明図である。
【図４】本発明の一実施例にかかる無線アクセスネットワーク装置を示すブロック図である。
【図５】本発明の一実施例にかかる無線アクセスネットワーク装置を示すブロック図である。
【図６】本発明の一実施例にかかる移動局の動作を示すフローチャートである。
【図７】本発明の一実施例にかかる無線アクセスネットワーク装置の動作を示すフローチャートである。
【符号の説明】
【００６２】
１００  移動局
２００  無線アクセスネットワーク装置
【図１】
0004685589.tif 000002
【図２】
0004685589.tif 000003
【図３】
0004685589.tif 000004
【図４】
0004685589.tif 000005
【図５】
0004685589.tif 000006
【図６】
0004685589.tif 000007
【図７】
0004685589.tif 000008